(57)【要約】      （修正有）【課題】視覚以外の感覚を通じても楽しむことができる装飾カバーと装飾カバー係止軸を提供する。【解決手段】装飾カバーは、裏面開口の本体とその裏面開口部を開閉可能な蓋を備え、本体は突起物及び芳香剤又は芳香含有材又は芳香未含有材８を収容可能な収容空間を備え、芳香剤又は芳香含有材又は芳香未含有材は本体の前記裏面開口部から収容空間内に出し入れ可能である。装飾カバー係止軸は、雌ピンと雄ピンを備え、両ピンは差込孔に差し込む軸とその差し込んだ軸の抜けを防止する鍔を備え、両ピンは互いに係止可能な係止機構を備え、互いに連結された両ピンは差込孔から物品の裏側又は表側に突出して装飾カバーを係止可能である。係止機構をネジ機構とすることもできる。【選択図】図１
0003143466.tif 000002
【実用新案登録請求の範囲】
【請求項１】
突起物の外側に被せて突起物を装飾する装飾カバーにおいて、
装飾カバーは裏面開口の本体と、本体の裏面開口部を開閉可能な蓋を備え、
本体は突起物及び芳香剤又は芳香含有材又は芳香未含有材を収容可能な収容空間を備え、
芳香剤又は芳香含有材又は芳香未含有材は本体の前記裏面開口部から収容空間内に出し入れ可能であることを特徴とする芳香装飾カバー。
【請求項２】
請求項１記載の芳香装飾カバーにおいて、本体又は蓋に、本体の収容空間内に収容された芳香剤又は芳香含有材から出る芳香を放出する芳香放出口が設けられたことを特徴とする芳香装飾カバー。
【請求項３】
請求項１又は請求項２のいずれかに記載の芳香装飾カバーにおいて、収容空間内に芳香剤又は芳香含有材又は芳香未含有材が収容されたことを特徴とする芳香装飾カバー。
【請求項４】
請求項１又は請求項３のいずれかに記載の芳香装飾カバーにおいて、
収容空間内に収容された芳香剤又は芳香含有材又は芳香未含有材をその裏側から押さえる押さえ具を備え、
押さえ具は蓋と別であるか又は蓋の内側に蓋と一体に設けられたことを特徴とする芳香装飾カバー。
【請求項５】
雌ピンと、それに差し込まれて固定される雄ピンを備え、
両ピンは物品に開口された差込孔に差し込む軸と、差込孔に差し込んだ軸の抜けを防止する鍔を備え、
雌ピンと雄ピンは、雌ピンに雄ピンを差し込んで互いに係止可能な係止機構を備え、
互いに連結された雌ピン又は雄ピンは、前記差込孔から物品の裏側又は表側に突出して装飾カバーを係止可能であることを特徴とする装飾カバー係止軸。
【請求項６】
請求項５記載の装飾カバー係止軸において、係止機構が雌ネジとその雌ネジにねじ込んで固定可能な雄ネジであることを特徴とする装飾カバー係止軸。
【請求項７】
請求項５又は請求項６のいずれかに記載の装飾カバー係止軸において、鍔が装飾形状であることを特徴とする装飾カバー係止軸。
【考案の詳細な説明】
【技術分野】
【０００１】
本願考案は、洋服や鞄等のボタン、携帯機器のストラップ等に取付けた突起類の外側に被せて、それらボタンや突起類を装飾するための装飾カバーと、装飾カバー等を被せることのできる装飾カバー係止軸に関するものである。
【背景技術】
【０００２】
近年、洋服（衣類）のボタンの上にボタンカバーを被せて、ボタンに変化を持たせ、個性を演出することが行われている。ボタンカバーには人造石、天然石、ビーズ等を貼り付けたり図柄を描いたりしている。
【考案の開示】
【考案が解決しようとする課題】
【０００３】
しかし、従来のボタンカバーは主として視覚を通じたお洒落を目的とするものであり、他の五感を通じた個性の演出やお洒落を楽しむことは難しかった。また、装飾性に富んだデザインの装飾カバーがあってもそれを被せるボタンや突起物が無ければ使用できず、有効に利用できなかった。
【課題を解決するための手段】
【０００４】
本願考案は、嗅覚を通じてお洒落を楽しむことができる装飾カバーと、ボタンや突起物が無くても、装飾カバーを装着することのできる装飾カバー係止軸を提供するものである。
【０００５】
本願考案の芳香装飾カバーは、請求項１記載のように、突起物の外側に被せて突起物を装飾する装飾カバーであり、装飾カバーは裏面開口の本体と、本体の裏面開口部を開閉可能な蓋を備え、本体は突起物及び芳香剤又は芳香含有材又は芳香未含有材を収容可能な収容空間を備え、芳香剤又は芳香含有材又は芳香未含有材は本体の前記裏面開口部から収容空間内に出し入れ可能としたものである。前記芳香装飾カバーの本体又は蓋に、請求項２記載のように、本体の収容空間内に収容された芳香剤又は芳香含有材から出る芳香が放出する芳香放出口を設けることもできる。請求項３記載のように収容空間内に芳香剤又は芳香含有材又は芳香未含有材を収容したものとすることもできる。請求項４記載のように、収容空間内に収容された芳香剤又は芳香含有材又は芳香未含有材をその裏側から押さえる押さえ具を設け、押さえ具は裏蓋と別にするか裏蓋の内側に裏蓋と一体に設けることができる。
【０００６】
本願考案の装飾カバー係止軸は、請求項５記載のように、雌ピンと、それに差し込まれて固定される雄ピンを備え、両ピンは物品に開口された差込孔に差し込む軸と、差込孔に差し込んだ軸の抜けを防止する鍔を備え、雌ピンと雄ピンは、雌ピンに雄ピンを差し込んで互いに係止可能な係止機構を備え、互いに連結された雌ピン又は雄ピンは、前記差込孔から物品の裏側又は表側に突出して装飾カバーを係止可能としたものである。前記装飾カバー係止軸は請求項６記載のように、前記係止機構を雌ネジとその雌ネジにねじ込んで固定可能な雄ネジとしたものである。請求項７記載のように、鍔を装飾形状としたものである。
【考案の効果】
【０００７】
本願考案の芳香装飾カバーは次の効果がある。
（１）販売時に、収容空間内に芳香剤又は芳香剤含有済みの芳香含有材を収容しておけば、それを購入すればそのまま芳香の出るカバーとして使用できるため、購入後に収容空間に芳香剤又は芳香含有材を収容する面倒が無い。
（２）販売時に、収容空間内に芳香未含有材を収納しておけば、購入者が芳香未含有材に使用者の好みの芳香剤を含浸させて使用することができるため、他人の芳香装飾カバーとの差別化が可能となる。
（３）芳香剤又は芳香含有材だけを新規なものと交換して、芳香装飾カバーはそのまま継続使用可能であり、芳香装飾カバーが一つあれば芳香剤又は芳香含有材を交換して繰り返し使用できるため経済的でもある。
（４）本体又は裏蓋に、本体の収容空間内に収容された芳香剤又は芳香含有材から出る芳香放出口があるため、芳香が芳香装飾カバーから外に出やすくなる。
（５）本体の収容空間内に収容された芳香剤又は芳香含有材をそれらの裏側から押さえる押さえ具があるので、芳香剤又は芳香含有材が収容空間内で安定し、裏蓋を開いても収容空間から不用意に脱落しない。
（６）押さえ具を裏蓋と別に設ければ、本体の収容空間内に収容された芳香剤又は芳香含有材を裏蓋の開閉とは別に押さえることができ、芳香剤又は芳香含有材が蓋の開閉に拘わらず安定し、位置ずれしたり、裏蓋を開いたときに収容空間から落下したりしない。
【０００８】
本願考案の装飾カバー係止軸は次の効果がある。
（１）孔の無いベルト、手帳、鞄等に孔をあけ、その孔に雌ピン及び雄ピンを差し込んで装着すれば、その係止軸に前記芳香装飾カバーを係止することができるので、孔のない所持品に芳香装飾カバーを手軽に装備することができる。
（２）雄ピンと雌ピンの係止機構をねじ構造にすれば、両ピンの係止が確実になり、取外しも容易になる。
（３）雄ピンと雌ピンの鍔を使用者の好みの装飾形状とすることにより、所持品に差込み孔をあけて雄ピン及び雌ピンを取付けるだけで、所持品にアクセサリーを装着することができ、所持品を個性化することもできる。
【考案を実施するための最良の形態】
【０００９】
（芳香装飾カバーの実施形態１）
本願考案の芳香装飾カバーの実施形態の一例を図１〜図４に基づいて説明する。本願考案の芳香装飾カバーは図１のように衣類（洋服）ＡのボタンＢに被せることができるが、他の突起物、例えば、図３に示す鞄のベルトや図示しない携帯品のストラップ等に取り付けた鍔付き治具等Ｄにも被せることができる。この実施形態では突起物が衣類のボタンＢである場合を一例として説明する。
【００１０】
本実施形態の芳香装飾カバー１は、本体２とそれに開閉可能に取り付けられた裏蓋３を備えている。本体２は表面及び裏面が開口している円筒状の周枠４の表面開口部５に、円板状の表板６が接着材により或いは圧入により図１（ｂ）のように固定され、その表板６と周枠４の内側に収容空間７が形成されている。収容空間７内には円板状の芳香剤又は芳香含有材８を収容でき、それらの裏側にそれを押さえる押さえ具９をも収容できるようにしてある。
【００１１】
周枠４の形状は円筒状以外の形状であってもよく、例えばハート形、楕円形、ダイヤ形、スペード形といった所望形状とすることもできる。周枠４の材質はコスト面、耐久性等の面から金属製が適するが、それ以外、例えば、硬質樹脂製、木製等とすることもできる。
【００１２】
表板６には複数の芳香放出口１０が設けられている。図１の芳香放出口１０は小孔であり、それが表板６の周縁部に開口されているが、芳香放出口１０の形状、開口数、開口位置等は任意に選択でき、形状は、例えば、図２（ａ）のような細長スリット、図２（ｂ）のような切欠き、図２（ｃ）のようなダイヤ形、図示されていない星形、ハート形、図形や文字の形状といった任意形状とすることができる。
【００１３】
表板６は加工面、コスト面から金属製のものが適するが、ガラス製、樹脂製といった各種材質製とすることもできる。いずれの場合も各種着色を施して豊富なカラーバリエーションにすることもできる。
【００１４】
収容空間７は表板６の裏側に、芳香剤又は芳香含有材を収容でき、それらの裏側に押さえ具９を収容でき、更には押さえ具９の裏側に図１（ｃ）に示すようにボタンＢを収容できる広さが確保されている。表板６と芳香剤又は芳香含有剤８との間に写真、絵、イラスト等が表示された装飾板を収容可能なスペースを確保しておくこともできる。
【００１５】
図１に示す芳香剤８は、円形の不織布、フェルト、綿、和紙等の素材に芳香剤を含浸させたものであるが、本願考案の芳香剤８は香料を混入したバインダを円板状に成形したものとすることもできる。芳香剤又は芳香含有材８の形状は円板以外であってもよく、収容する周枠４の形状に合せて成形することができる。表板６として透視性のあるものを使用した場合、芳香剤又は芳香含有材８の表面に絵、模様、図柄、写真等を表示しておき、それらが表材６を透視して外から視認できるようにすることもできる。この場合、芳香の放出が阻害されないようにするため前記絵や写真に微小孔を開けておくのが望ましい。また、表板６と芳香剤又は芳香含有材８との間に写真、絵、イラスト等が表示された装飾板を収容した場合も、装飾板に微少孔をあけて芳香の放出が阻害されないようするのがよい。
【００１６】
押さえ具９は周枠４の内側に圧入できる直径の円板状であり、周縁の三箇所から裏側に係止突起１１が突設されている。押さえ具９は芳香剤又は芳香含有材８の裏側から本体２の周枠４内に圧入すると係止突起１１が周枠４の周縁内面に圧接して周枠４から不用意に外れず、係止突起１１を摘んで引き出すと周枠４から外れるようにしてある。
【００１７】
押さえ具９は図４のように裏蓋３に設けることもできる。この場合、押さえ具９は円形のリング状にし、その押さえ具９を裏蓋３の内面から突設した脚部１２の上に取付けて、収容空間７内に収容された芳香剤又は芳香含有材８を表板６の裏面に押し付けることができるようにしてもよい。
【００１８】
裏蓋３はほぼ円板状であり、外周縁に連結片１３が形成されており、その連結片１３が本体２の周枠４に開口されている連結孔１４（図１）に差し込まれて、図１（ａ）の矢印Ｘ−Ｙ方向に回動可能に周枠４に連結されている。裏蓋３を本体２に開閉可能に連結した場合は開いたときに紛失する虞がない。裏蓋３は本体２と連結することなく別体にすることもできる。
【００１９】
裏蓋３の中心部には図１（ｄ）に示すボタンＢの止め糸Ｃや、（ｂ）に示す係止軸Ｆなどに係止可能な係止部１６が設けられている。係止部１６はガイド溝１６ａと保持孔１６ｂを備え、ガイド溝１６ａは前記止め糸Ｃや係止軸Ｆ等が通過できる幅の細長であり、その先端部が裏蓋３の外周縁に開口して、その開口部１６ｃから前記止め糸Ｃや係止軸Ｆ等を出し入れできるようにしてある。保持孔１６ｂは裏蓋３の中心部に円形に開口されており、ガイド溝１６ａ内を通過した止め糸Ｃや係止軸Ｆが進入できるようにガイド溝１６ａと連通させてあり、ボタンＢや係止軸Ｆの径より小さな孔径にして、ボタンＢや係止軸Ｆが係止して抜けないようにしてある。
【００２０】
裏蓋３には二本のスリット１５が保持孔１６ｂに連通して開口されている。このスリット１５は裏蓋３に径方向への伸縮性を付与して、裏蓋３を外から中心側に押すと裏蓋３の径が縮小し、押しを解除すると径が復元できるようにするためのものである。
【００２１】
裏蓋３の保持孔１６ｂの両外側周縁部には押し込み片１７が立ち上げられている。この押し込み片１７はその立ち上がりの根元側を多少外側に膨出させ、先端側を内側に湾曲させて肉厚方向にバネ特性を持たせてある。
【００２２】
裏蓋３の二箇所には掛け部１８が形成されている。掛け部１８は指先や爪を係止できる程度の大きさであり、図１（ｂ）のように多少上向きに湾曲させて、図１（ｃ）のように裏蓋３をボタンＢの止め糸Ｃにセットしても衣料（洋服）Ａに突き刺さらないようにしてある。掛け部１８の数は一でも二以上でもよく、その大きさ形状も図示した以外の大きさや形状であってもよく、形成箇所も裏蓋３の他の箇所であってもよく、場合によっては押さえ具９に設けることもできる。押さえ具９に設ける場合は、押さえ具９を本体２の収容空間７内に押し込んだ状態で、本体２の周枠４の裏面開口部５から外側に突出して、指先や爪先等を掛けることができるようにする。掛け部１８を設けることで本体２からの裏蓋３又は押さえ具９の取外しが容易になり、収容空間７への芳香剤又は芳香含有材８の入れ替えも容易になる。掛け部１８は必要がない場合は設けなくてもよい。
【００２３】
（使用例１）
本願考案の芳香装飾カバーの使用の一例を以下に示す。
（１）芳香剤又は芳香剤含有済みの芳香含有材８を、本体２の表板６の裏側に配置する。
（２）前記芳香剤又は芳香含有材８の裏側から押さえ具９を本体２の周枠４内に圧入し、押さえ具９の係止突起１１を周枠４の内壁の係止部に係止して、芳香剤又は芳香含有材８を収容空間７内に保持する。
（３）裏蓋３のガイド溝１６ａをボタンＢの止め糸Ｃ（図１（ａ））に沿って押し込んで、止め糸Ｃを保持孔１６ｂ内にガイド（導入）する。
（４）前記状態で、本体２を裏蓋３の上に被せて、収容空間７内の押さえ具９の裏側にボタンＢを収容し、ボタンカバーとする。
（５）図１（ｃ）のようにボタンＢに被せてある芳香装飾カバーを、ボタンＢから取外すときは、本体２及び裏蓋３を引いて裏蓋３の保持孔１６ｂ内の止め糸Ｃをガイド溝１６ａを通過させて引き抜く。
（６）収容空間７内の芳香剤又は芳香含有材８を入れ替えるときは、裏蓋３を開き、押さえ具９を取外してから、使用済みの芳香剤又は芳香含有材を取外して、新しい芳香剤又は芳香含有材８に入れ替える。この場合の芳香含有材は芳香剤含浸済みのものであってもよく、未含浸のものであってもよい。裏蓋３を開くときは図１（ｃ）の状態で掛け部１８に指先を掛けて外側（図１（ｂ）の矢印方向）に押すと押し込み片１７が本体２から外れて裏蓋３が開く。
（７）新しい芳香剤又は芳香含有材８の裏側から本体２の周枠４内に押さえ具９を圧入して芳香剤又は芳香含浸材８が不用意に落下しないようにする。
【００２４】
（芳香装飾カバーの実施形態２）
本願考案の芳香装飾カバーの第２の実施形態を図５に基づいて説明する。この実施形態は基本的には実施形態１と同様であり、異なるのは本体２の周枠４と表板６とが一体成型されていることである。この場合も、周枠４及び表板６の材質は金属に限らず樹脂等であってもよい。
【００２５】
（芳香装飾カバーの実施形態３）
本願考案の芳香装飾カバーの第３の実施形態として、表板６を透視性のある素材でレンズ状に成形して、表板６の外側からその内側を拡大透視することができるようにすることもできる。
【００２６】
（装飾カバー係止軸の実施形態１）
本願考案の装飾カバー係止軸の実施形態の一例を図６に基づいて説明する。図示した装飾カバー係止軸５０は図１（ｂ）に示す止め糸Ｃの代りに使用して、図１に示す芳香装飾カバーを取り付けることができるようにしたものであり、雌ピン５１と雄ピン５２を一組としてある。両ピンには互いに連結離脱可能な係止機構が形成されている。図６の係止機構はネジであり、雌ピン５１の雌軸５３の内周面に雌ネジ５４が形成され、雄軸５５の軸外周面に前記雌ネジ５４にねじ込み可能な雄ネジ５６が形成されている。雌軸５３、雄軸５４の一端には鍔５７、５８が取り付けられている。
【００２７】
前記係止機構はネジ以外であってもよく、例えば、雄軸５５を雌軸５３内に圧入すると抜けなくなり、雄軸５５を圧入力以上の力で引くと抜けるようにした圧入式とか、雌軸５３内に雄軸５５を差し込んでから雄軸５５又は雌軸５３を回転させると互いに係止して抜けなくなり、雄軸５５又は雌軸５３を逆回転させると雄軸５５を雌軸５３から抜くことができるようにしたワンタッチ式等とすることもできる。これら係止機構の場合は雌軸５３と雄軸５５の係止又は取り外しにそれらを回転させる必要がないため、雌軸５３、雄軸５５は円筒状ではなく、三角、四角といった角筒状であってもよい。雌軸５３、雄軸５５の太さや長さは用途に応じて選択することができる。
【００２８】
図６に示す鍔５７、５８は円板状であり、その径は前記雌軸５３の外側に取り付ける装飾ケース（例えば図１（ａ）の芳香装飾ケース１）の保持孔（図１（ａ）の１６ｂ）から抜け落ちない大きさのサイズとする必要がある。
【００２９】
（装飾カバー係止軸の使用例）
本願考案の装飾カバー係止軸５０の使用例を図７に基づいて説明する。この使用例は図７（ａ）のように、手帳６０の表紙６１のコーナーに差込み孔６２を開け、その差込み孔６２に本願考案の装飾カバー係止軸５０の雌ピン５１を図７（ｂ）のように差込み、その雌ピン５１の雌軸５３に雄ピン５２の雄軸５５をねじ込んで両軸５３、５５を連結し、その雌軸５３の外周に図１（ａ）に示す装飾カバー１を図７（ｂ）（ｃ）のように装着した例である。
【００３０】
図７（ａ）の差込み孔６２の内径は雌軸５３の外径よりも大きくして、雌軸５３が差込み孔６２に緩く差し込まれて差込み孔６２内でその貫通方向にスライドできるようにしてある。また、差込み孔６２の内径は両ピン５１、５２の鍔５７、５８の外径よりも小さくして、互いに連結された両ピンが差込み孔６２から抜けないようにしてある。差込み孔６２にはカシメ金具を取り付けておき、そのカシメ金具の孔に雌ピン５１を差込むこともできる。
【００３１】
図７（ｂ）のように手帳６０に取り付けた装飾カバー係止軸５０に図１（ａ）の装飾カバー１を取り付けるには次のようにする。
（１）装飾カバー１の裏蓋３のガイド溝１６ａを装飾カバー係止軸５０の雌軸５３に沿って押し込んで（ガイドして）、雌軸５３を裏蓋３の保持孔１６ｂ内に導入する。
（２）前記状態で装飾カバー１の本体２を裏蓋３の上に被せて、本体２の収容空間７内に装飾カバー係止軸５０の鍔５８（又は５７）を収容して、図７（ｃ）のように装飾カバー１を鍔５８（又は５７）の外側に被せる。
（３）図７（ｃ）のように鍔５８（又は５７）に被せてある装飾カバー１を、装飾カバー係止軸５０から取外すには、装飾カバー１の本体２及び裏蓋３を引いて、裏蓋３の保持孔１６ｂを装飾カバー係止軸５０の雌軸５３から外し、そのまま引いて裏蓋３のガイド溝１６ａをも雌軸５３から外して引き抜く。
【００３２】
本願考案の装飾カバー係止軸５０は手帳６０以外のもの、例えば、鞄、携帯電話のストラップ、バインダーファイル、ノート、ベルト、帽子等様々なものに開けた差込み孔６２に差込んで使用することもできる。装飾カバー係止軸５０は鍔５７、５８を図８（ａ）〜（ｄ）に示すようにハート形、星形、野菜の形状、花の形状、動物の形状といった形状をはじめとして、その他の所望形状にするとことができる。鍔５７、５８の表面に立体的な装飾を施すこともできる。これら装飾形状、立体形状にした場合は、鍔５７、５８に図１（ａ）に示すような装飾カバー１を被せなくとも、鍔５７、５８の形状や装飾そのものを装飾や所有の目印としたりすることもできる。この使用例は本願考案の装飾カバー係止軸５０の使用例の一つであって、他の使用方法もある。
【産業上の利用可能性】
【００３３】
本願考案の芳香装飾カバーは各種分野、例えば、身廻り品、身飾り品、室内装飾品、インテリア製品等の装飾用としての利用も可能であり、既存の又は新設の突起物に被せて使用することができる。突起物を新たに設ける必要がある場合は、本願考案の前記装飾カバー係止軸を利用することができる。
【図面の簡単な説明】
【００３４】
【図１】（ａ）は本願考案の芳香装飾カバーの一例を示す分解説明図、（ｂ）は本体を閉じた状態の断面図、（ｃ）は芳香装飾カバーをボタンに装着した状態の斜視図、（ｄ）は衣類へのボタン取付け状態の側面図。
【図２】（ａ）〜（ｃ）は本願考案の芳香装飾カバーにおける表板に開口した芳香放出口の異なる例を示す平面図。
【図３】（ａ）は本願考案の芳香装飾カバーをベルトに取り付けた突起物に被せる場合の説明図、（ｂ）は（ａ）の突起物取り付け部分の側面図。
【図４】（ａ）本願考案の芳香装飾カバーの他例を示す分解図、（ｂ）は（ａ）の芳香装飾カバーの本体を裏蓋に閉じた状態の断面説明図。
【図５】本願考案の芳香装飾カバーの表板と周枠を一体成形した例の分解図、（ｂ）は（ａ）の芳香装飾カバーの本体を裏蓋に閉じた状態の断面説明図。
【図６】（ａ）は本願考案の装飾カバー係止軸の一例を示す分解説明図、（ｂ）は（ａ）の雄ピンと雌ピンの結合状態を示す斜視図。
【図７】本願考案の装飾カバー係止軸の使用例を示す説明図であって、（ａ）は差込み孔を設けた手帳の斜視図、（ｂ）は（ａ）の差込孔に装飾カバー係止軸を取付けた状態の断面図、（ｃ）は差込孔に取付けた装飾カバー係止軸に装飾カバーを取付けた状態の斜視説明図。
【図８】（ａ）〜（ｄ）は本願考案の鍔の各種形状例を示す説明図。
【符号の説明】
【００３５】
１  芳香装飾カバー
２  本体
３  裏蓋
４  周枠
５  開口部
６  表板
７  収容空間
８  芳香剤又は芳香含有材
９  押さえ具
１０  芳香放出口
１１  係止突起
１２  脚部
１３  連結片
１４  連結孔
１５  スリット
１６  係止部
１６ａ  ガイド溝
１６ｂ  保持孔
１６ｃ  開口部
１７  押し込み片
１８  掛け部
５０  装飾カバー係止軸
５１  雌ピン
５２  雄ピン
５３  雌軸
５４  雌ネジ
５５  雄軸
５６  雄ネジ
５７、５８  鍔
６０  手帳
６１  表紙
６２  差込み孔
Ａ  衣料（洋服）
Ｂ  ボタン
Ｃ  止め糸
Ｄ  鍔付き治具
Ｆ  係止軸
【図１】
0003143466.tif 000003
【図２】
0003143466.tif 000004
【図３】
0003143466.tif 000005
【図４】
0003143466.tif 000006
【図５】
0003143466.tif 000007
【図６】
0003143466.tif 000008
【図７】
0003143466.tif 000009
【図８】
0003143466.tif 000010